(57)【要約】【課題】リールを駆動する駆動部（モータ等）の効率的な放熱対策を施すとともに、駆動部のアースを確保し、さらに、組立て方法の簡素化を図る。【解決手段】メインリール３１を回転駆動するモータ３２と、モータ３２を固定した取付板３７とを含むメインリールユニット３０をリールケース本体１０９及びリールケースカバー１１０の内部に複数個並設した図柄変動表示装置と、フロントマスク部１２を有する筐体と、図柄変動表示装置をフロントマスク部１２に取り付けるための固定板１０６と、図柄変動表示装置が取り付けられる取付部１２ｃとを備える箱形遊技機であって、各取付板３７、固定板１０６、リールケース本体１０９及びリールケースカバー１１０を一体的に結合し、各取付板３７と固定板１０６、及び固定板１０６とフロントマスク部１２の取付部１２ｃを含む部分とが熱伝導性及び導電性を有するようにした。【選択図】        図７
2004351016.tif 000002
【特許請求の範囲】
【請求項１】
複数種類の図柄を外周面に表示したリールと、
前記リールの内周側に配置され、前記リールを回転駆動する駆動部と、
前記駆動部を固定した取付板と
を含むリールユニットを収容体の内部に複数個並設した図柄変動表示装置と、
前面を開口した基体部、及び前記基体部の前面を開閉可能に前記基体部に取り付けられたフロントマスク部を有する筐体と、
前記図柄変動表示装置に設けられ、前記図柄変動表示装置を前記フロントマスク部に取り付けるための固定板と、
前記フロントマスク部の裏面側に設けられ、前記図柄変動表示装置が取り付けられる取付部と
を備える箱形遊技機であって、
前記図柄変動表示装置の各前記取付板、前記収容体及び前記固定板を一体的に結合し、
前記図柄変動表示装置の各前記取付板と前記固定板、及び前記固定板と前記フロントマスク部の前記取付部を含む部分とが、それぞれ熱伝導性及び導電性を有するようにした
ことを特徴とする箱形遊技機。
【発明の詳細な説明】
【０００１】
【発明の属する技術分野】
本発明は、複数種類の図柄を外周面に表示したリールを含むリールユニットを、収容体の内部に複数個並設して図柄変動表示装置を構成し、この図柄変動表示装置を筐体に取り付けた箱形遊技機に関するものである。
【０００２】
【従来の技術】
従来より、スロットマシン等の箱形遊技機には、複数種類の図柄を外周面に表示したリールと、このリールを駆動するモータ（駆動部）とを有するリールユニットを、複数個並設した図柄変動表示装置が取り付けられている。
このような図柄変動表示装置は、リールの内周側に配置されたモータを駆動してリールを回転させるとともに制御装置の内部で抽選を行い、その抽選結果に基づいてモータの駆動を制御し、リールを所定位置に停止させるように構成されている。
【０００３】
ここで、リールユニットは、通常、スロットマシン等の箱形遊技機の内部に複数並設されるが、例えば複数個のリールユニットを１つのケース内に収容した図柄変動表示装置が知られている。そして、このような図柄変動表示装置は、遊技中、ほぼ密閉された状態になる（例えば、特許文献１参照。）。
【０００４】
【特許文献１】
特開２００２−５８７８３号公報  （第４−６頁、図１−６）
【０００５】
【発明が解決しようとする課題】
しかし、リールユニットにおけるリールを駆動するモータは、継続して駆動することによって発熱を伴うので、十分な放熱対策を施す必要がある。特に、上記特許文献１のように、モータを含むリールユニットをケース内に収容した場合には、ケース内にモータの熱がこもりやすくなるので、ケースの外部に熱を逃がす必要がある。
【０００６】
ところが、モータは、リールの内周側に配置されることから、モータの十分な通気性を確保することは容易でない。また、モータを含むリールユニットは、複数個並設されるのが通常であるので、各モータが互いに接近して配置される。さらに、上記特許文献１のような構造では、各モータは、リールだけでなく、ケースによっても放熱が妨げられることとなる。
【０００７】
また、図柄変動表示装置が箱形遊技機の筐体内部に配置されたときには、図柄変動表示装置の前面側には表示窓が配置されるので、前面側の通気性も不十分となり、ほぼ密閉状態となる。
したがって、上記特許文献１のように図柄変動表示装置をユニット化したり、図柄変動表示装置の小型化を図ることによって、モータの放熱が不十分になるという問題がある。
【０００８】
そこで、リールユニットをケース内に複数個収容した図柄変動表示装置に放熱板を設けることで、モータが発生する熱を逃がすことが考えられる。
しかし、モータから放熱板に至る熱伝導の経路は、モータとリールとの間の空気、リールとケースとの間の空気、さらに、ケースから放熱板を経由する間接的なものでしかないため、効率的な放熱対策にはならない。
【０００９】
また、モータは、電気部品である以上、ノイズ等の障害に対する誤動作等の問題を回避するため、アース手段を確保する必要があるが、上記特許文献１のように図柄変動表示装置をユニット化した場合には、アース手段も不十分になるという問題がある。さらに、放熱板を個別に取り付けることが考えられるが、このような構造では、箱形遊技機全体の組立て工数の増加につながるという問題がある。
【００１０】
したがって、本発明が解決しようとする課題は、リールを駆動する駆動部（モータ等）の効率的な放熱対策を施すとともに、駆動部のアースを確保し、さらに、組立て方法の簡素化を図ることである。
【００１１】
【課題を解決するための手段】
本発明は、以下の解決手段によって、上述の課題を解決する。
請求項１の発明は、複数種類の図柄を外周面に表示したリールと、前記リールの内周側に配置され、前記リールを回転駆動する駆動部と、前記駆動部を固定した取付板とを含むリールユニットを収容体の内部に複数個並設した図柄変動表示装置と、前面を開口した基体部、及び前記基体部の前面を開閉可能に前記基体部に取り付けられたフロントマスク部を有する筐体と、前記図柄変動表示装置に設けられ、前記図柄変動表示装置を前記フロントマスク部に取り付けるための固定板と、前記フロントマスク部の裏面側に設けられ、前記図柄変動表示装置が取り付けられる取付部とを備える箱形遊技機であって、前記図柄変動表示装置の各前記取付板、前記収容体及び前記固定板を一体的に結合し、前記図柄変動表示装置の各前記取付板と前記固定板、及び前記固定板と前記フロントマスク部の前記取付部を含む部分とが、それぞれ熱伝導性及び導電性を有するようにしたことを特徴とする。
【００１２】
請求項１の発明においては、発熱源である駆動部を固定した取付板と、リールユニットの収容体と、図柄変動表示装置を筐体に取り付ける固定板とは、一体的に結合される。
そのため、取付板と収容体、及び収容体と固定板を、それぞれ個別に取り付ける必要がなくなり、固定方法が簡素化される。
【００１３】
また、各取付板と固定板、及び固定板とフロントマスク部の取付部を含む部分とが、それぞれ熱伝導性を有するので、駆動部が発生する熱は、駆動部から取付板、取付板から固定板、固定板からフロントマスク部の取付部へと、順次、直接伝わることとなり、空気層が介在しないだけに、効率的に放熱できる。しかも、フロントマスク部を利用することで放熱に寄与する表面積が大きくなり、高い冷却効率が得られる。
さらに、取付板と固定板、及び固定板とフロントマスク部の取付部を含む部分とが、それぞれ導電性を有するので、フロントマスク部を通じて駆動部のアースが確保される。
【００１４】
【発明の実施の形態】
以下、図面等を参照して、本発明の一実施形態について説明する。なお、以下の実施形態では、本発明の箱形遊技機をスロットマシンに適用した例を挙げている。
図１は、本実施形態のスロットマシン１０の全体を示す前面の正面図である。また、図２は、図１中、スロットマシン１０のフロントマスク部１２を開放し、基体部１１の内部が見えるように図示した正面図である。
【００１５】
図１及び図２に示すように、スロットマシン１０の筐体は、基体部１１と、基体部１１の前面に取り付けられるフロントマスク部１２とから構成されている。
また、スロットマシン１０の内部には、リング状のメインリール３１を備えるメインリールユニット３０が配置され、本実施形態では、メインリールユニット３０を３つ並設して図柄変動表示装置を構成している（以下、３つのメインリール３１全体を指すときは、メインリール３１群という）。
さらに、スロットマシン１０の内部には、リング状のサブリール５１を備えるサブリールユニット５０が配置され、本実施形態のスロットマシン１０では、サブリールユニット５０を３つ並設して図柄変動表示装置を構成している（以下、３つのサブリール５１全体を指すときは、サブリール５１群という）。
【００１６】
基体部１１は、木材等を組み立てて、前面を開口した箱形に形成したものである。この基体部１１の内部には、図２に示すように、下方部に、電源ユニット１０１及びメダルを貯留しておくホッパーを含むメダル払出し装置１０２が設けられている。
また、これらの電源ユニット１０１及びメダル払出し装置１０２上には、支持板１０３が設けられており、この支持板１０３上にサブリールユニット５０が搭載されている。
【００１７】
さらにまた、サブリールユニット５０の上方部であって、基体部１１内部における背面側には、メイン制御基板１０４が設けられている。メイン制御基板１０４は、メインリール３１群の始動及び停止制御を含む、遊技の進行等の遊技全体を統括制御するための制御基板であり、図示しないが、演算等を行うＣＰＵ、遊技プログラムを記憶したＲＯＭ、及びデータを一時的に記憶するＲＡＭ等を備えるものである。メイン制御基板１０４は、透明樹脂からなるケース１０５内に収容され、ケース１０５は、メイン制御基板１０４を収容した後にかしめられており、メイン制御基板１０４を封印している。
【００１８】
一方、フロントマスク部１２は、基体部１１の前面が開閉可能なように取り付けられており、スロットマシン１０の前面部を構成する。
フロントマスク部１２は、図１に示すように、前面側（遊技者側）に、スタートスイッチ４１及びストップスイッチ４２からなる操作スイッチ４０や、メダル投入口４３、メダル受け皿４４等が配置されている。また、操作スイッチ４０の上方部であってフロントマスク部１２の中央部には、透明なサブ表示窓１２ａが設けられている。そして、このサブ表示窓１２ａから、基体部１１内部の各サブリール５１の一部が透視できるように構成されている。
【００１９】
各サブリール５１は、回転中心部にそれぞれモータ５２（図示せず）が連結されており、このモータ５２の駆動制御により各サブリール５１の回転がそれぞれ制御される。なお、各サブリール５１の内周内側には、上下に連続する３図柄を背後から照光するためのバックランプ５３（図１参照）が固定されている。
【００２０】
また、図２に示すように、フロントマスク部１２の裏面側において、サブ表示窓１２ａが形成された領域の上側には、メインリールユニット３０及びサブ制御基板１０８を含むユニットが、固定板１０６によって取り付けられている。そして、図１に示す透明なメイン表示窓１２ｂから、各メインリール３１の一部が透視できるように構成されている。図３は、メインリールユニット３０及びサブ制御基板１０８を含むユニットを前面側から見た斜視図である。
【００２１】
図３に示すように、メインリール３１を含むリールユニット３０は、本発明における収容体に相当するリールケース本体１０９及びリールケースカバー１１０の内部に３個並設されている。すなわち、本発明の収容体は、本実施形態では、リールケース本体１０９とリールケースカバー１１０との２ピース構造になっており、リールケース本体１０９の前面側の開口面１０９ａが、図１に示すメイン表示窓１２ｂと一致するように、固定板１０６によってフロントマスク部１２の裏面側に取り付けられる。なお、リールケースカバー１１０の後部には、基板ケース本体１１１が取り付けられており、この基板ケース本体１１１にサブ制御基板１０８が取り付けられ、このサブ制御基板１０８は基板ケースカバー１１２によって覆われる。
【００２２】
ここで、メインリール３１の内周側の回転中心部には、それぞれモータ３２（図示せず）が連結されており、このモータ３２の駆動制御により各メインリール３１の回転がそれぞれ制御される。また、各メインリール３１の外周面には、複数種類の図柄（役を構成する図柄等）を印刷したリールテープが貼付けされている。
なお、各メインリール３１の内周内側には、１つの図柄を背後から照光するためのバックランプ３３（図１参照）が固定されている。
【００２３】
メインリールユニット３０後部に配置されたサブ制御基板１０８は、遊技中における演出を制御する基板であって、サウンドの出力、ランプ類の点灯、サブリール５１群の動作制御等を行うものであり、上述したメイン制御基板１０４と同様に、ＣＰＵ、ＲＯＭ、及びＲＡＭ等を備えている。すなわち、上述のメイン制御基板１０４が遊技全体を統括制御し、サブ制御基板１０８は、メイン制御基板１０４の下位に属する基板で、演出の全体の制御を担当する。
このサブ制御基板１０８とメイン制御基板１０４とは、図示しないハーネスにより電気的に接続されており、メイン制御基板１０４からサブ制御基板１０８に対して演出実行指令等を送信するようになっている。
【００２４】
このように、図１及び図２に示すスロットマシン１０には、各種の電気部品が組み込まれていることから、ノイズ等の障害によって誤動作することがないように、スロットマシン１０の基体部１１及びフロントマスク部１２は、アースされている。
【００２５】
また、図１及び図２に示すスロットマシン１０にあっては、前面側から見て、操作スイッチ４０の上部にサブ表示窓１２ａが配置され、そのサブ表示窓１２ａよりもさらに上部にメイン表示窓１２ｂが配置されている。そして、上部のメイン表示窓１２ｂは、中央部のサブ表示窓１２ａよりも小さく形成されている。
【００２６】
メイン表示窓１２ｂに表示される図柄は、メインリール３１群の外周面のものであって、メイン表示窓１２ｂには、停止時の各メインリール３１の図柄の組合せによる遊技結果が表示される。
これに対し、サブ表示窓１２ａに表示される図柄は、サブリール５１群の外周面のものであって、サブ表示窓１２ａには、各サブリール５１の回転若しくは停止動作、又は最終的位置における各サブリール５１の図柄の組合せのうちの少なくとも１つに基づく演出が表示される。
【００２７】
したがって、図１及び図２に示すスロットマシン１０において、上部にあるメインリールユニット３０は、従来の一般的なスロットマシンであれば、中央部に設けられているリールユニットに相当するものである。
【００２８】
しかしながら、メイン表示窓１２ｂがサブ表示窓１２ａよりも小さく形成されており、メインリールユニット３０は、基体部１１の内部ではなくフロントマスク部１２の裏面側に配置されるものであるから、全体的に小型化されている。すなわち、各メインリール３１の直径及び幅は、従来のスロットマシンで中央部に設けられているリールユニットの各リール（図１及び図２に示すスロットマシン１０で中央部に設けられているサブリールユニット５０の各サブリール５１）の直径及び幅よりも、小さくなっているのである。
【００２９】
この小型化されたメインリールユニット３０は、上述した通り、フロントマスク部１２の裏面側に配置されるが、メインリールユニット３０自体は、図３に示すように、リールケース本体１０９及びリールケースカバー１１０とによって覆われ、前面側を除き、ほぼ密閉される。しかも、各メインリール３１の直径及び幅が小さいので、部品の組込み密度が非常に高い。
そこで、以下に、小型化され、高密度で実装されているだけに発熱が一層問題となる、メインリールユニット３０を収容した図柄変動表示装置の放熱対策について説明する。
【００３０】
図４は、メインリールユニット３０の断面図（図４の下側がフロントマスク部１２の側）である。
図４に示すように、メインリールユニット３０は、メインリール３１、モータ３２、取付板３７及びランプハウス３８を含むもので、メインリール３１とモータ３２とは、基準片形成部材３６を介在させて、中継軸３４により連結されている。すなわち、モータ３２の回転軸３２ａに中継軸３４を挿入するとともに、ネジ３９によってメインリール３１と中継軸３４とを固定している。
【００３１】
ここで、基準片形成部材３６は、その基準片３６ａと、取付板３７に取り付けられるとともに、基準片３６ａの通過を読取り可能な位置に設けられたセンサ（図示せず）とにより、メインリール３１の基準位置を特定するものである。したがって、この基準位置からの移動量（モータ３２がステッピングモータの場合にはステップ数）を演算することにより、図柄位置を判定しつつ停止すべき位置にメインリール３１が停止する。
そして、メインリール３１の回転及び停止の繰り返しによってモータ３２が発熱すると、この熱は、モータ３２を固定している取付板３７の全体に伝わる。
【００３２】
ところで、メインリールユニット３０は、リールケース本体１０９及びリールケースカバー１１０に取付板３７を挿入することで、複数のメインリールユニット３０が一定の間隔に並ぶ図柄変動表示装置を構成する。
図５は、メインリールユニット３０を３個並設した図柄変動表示装置を分解して背面側から見た斜視図である。また、図６は、図柄変動表示装置の正面図である。
図５に示すように、図柄変動表示装置は、各取付板３７をリールケース本体１０９に差し込み、リールケース本体１０９の後側の開口面をリールケースカバー１１０で覆って組み立てられる。
【００３３】
そのため、各メインリールユニット３０は、正面側を除き、リールケース本体１０９及びリールケースカバー１１０に閉じ込められることとなる。
一方、各メインリールユニット３０の正面側には、図６に示すように、ランプハウス３８が位置することとなるので、発熱源のモータ３２は、通気性の良くない空間の中に隠れてしまう。
【００３４】
そこで、本実施形態のスロットマシン１０にあっては、図柄変動表示装置をフロントマスク部１２に取り付けるための固定板１０６が、図５及び図６に示すように、リールケース本体１０９に取り付けられる。
すなわち、図５中、１点鎖線で示すように、リールケースカバー１１０の背面側から各取付穴１１０ａにネジ１１３（図示せず）を挿入し、各取付板３７の取付穴３７ａ及びリールケース本体１０９の取付穴１０９ｂを通して、固定板１０６のネジ穴１０６ａにネジ止めすることにより、固定板１０６と、リールケース本体１０９と、各取付板３７と、リールケースカバー１１０とを一体的に取り付けている。
【００３５】
また、図６に示すように、ネジ１１３が固定板１０６のネジ穴１０６ａにネジ止めされ、リールケース本体１０９と固定板１０６とが一体となった図柄変動表示装置は、固定板１０６の結合穴１０６ｂにより、フロントマスク部１２に取り付けられることとなる。
【００３６】
図７は、メインリールユニット３０周辺のフロントマスク部１２の断面図である。図７に示すように、リールケースカバー１１０の背面側から挿入されたネジ１１３は、リールケースカバー１１０、取付板３７及びリールケース本体１０９を貫いて、固定板１０６のネジ穴１０６ａにネジ止めされている。さらに、固定板１０６は、フロントマスク部１２の裏面側に設けられた取付部１２ｃのネジ穴１２ｄに、ネジ１１４によってネジ止めされている。なお、固定板１０６のネジ穴１０６ａ及び取付部１２ｃのネジ穴１２ｄは、絞り加工した穴の内側にネジを切ったものである。
【００３７】
ここで、各取付板３７、固定板１０６、ネジ１１３及び１１４、フロントマスク部１２の少なくとも取付部１２ｃを含む部分は、それぞれ金属製である。
したがって、取付板３７に伝わったモータ３２の熱は、ネジ１１３を通じて固定板１０６の全体に伝わる。さらに、固定板１０６からフロントマスク部１２の少なくとも取付部１２ｃを含む部分に直接伝わる。これにより、モータ３２の熱は、フロントマスク部１２に伝えられることによって冷却されることとなる。なお、フロントマスク部１２の取付部１２ｃを含む、金属製の部分（熱伝導性を有する部分）の表面積は、できる限り大きく設定することが好ましい。
このようにして、本実施形態のスロットマシン１０は、モータ３２の熱が効率的に放熱され、しかも、放熱に寄与する表面積が広くなり、高い冷却効率が得られる。
【００３８】
また、本実施形態のスロットマシン１０は、取付板３７とフロントマスク部１２の取付部１２ｃとの間で導電性をも有するようになるので、フロントマスク部１２の取付部１２ｃを含む部分を接地することによって、熱伝導と同じ経路でモータ３２のアースが確保され、ノイズ等の障害による誤動作が防止される。
さらにまた、上述した通り、取付板３７、固定板１０６、リールケース本体１０９及びリールケースカバー１１０が、ネジ１１３によって一体的に結合（共締め）されるので、固定方法が簡素化される。
【００３９】
なお、本発明は、メインリールユニット３０を３つ並設した図柄変動表示装置を備えるスロットマシン１０について適用した例を示したが、例えばサブリールユニット５０をメインリールユニット３０と同様に収容体に収容して図柄変動表示装置を形成した場合には、サブリールユニット５０を複数並設した図柄変動表示装置を備えるスロットマシンに対しても本発明を適用することができる。また、本発明は、収容体に収容するリールユニットの数に関係なく適用することができる。
さらにまた、本実施形態では、箱形遊技機の代表例としてスロットマシン１０を例に挙げたが、スロットマシン１０に限らず、他の種類の箱形遊技機についても全く同様に適用可能である。
【００４０】
【発明の効果】
請求項１の発明によれば、駆動部の効率的な放熱が可能となり、また、駆動部のアースが確保され、さらに、組立て方法を簡素化することができる。
【図面の簡単な説明】
【図１】本発明の箱形遊技機の一実施形態であるスロットマシンを示す正面図である。
【図２】図１中、スロットマシンのフロントマスク部を開放し、基体部の内部が見えるように図示した正面図である。
【図３】メインリールユニット及びサブ制御基板を含むユニットを前面側から見た斜視図である。
【図４】スロットマシンのメインリールユニットの断面図である。
【図５】メインリールユニットを３個並設した図柄変動表示装置を分解して背面側から見た斜視図である。
【図６】図柄変動表示装置の正面図である。
【図７】フロントマスク部の断面図であり、メインリールユニットの周辺の断面を示すものである。
【符号の説明】
１０  スロットマシン（箱形遊技機）
１１  基体部（筐体）
１２  フロントマスク部（筐体）
１２ａ  サブ表示窓
１２ｂ  メイン表示窓
１２ｃ  （図柄変動表示装置の）取付部
１２ｄ  ネジ穴
３０  メインリールユニット
３１  メインリール
３２  モータ
３２ａ  回転軸
３３  バックランプ
３４  中継軸
３６  基準片形成部材
３６ａ  基準片
３７  取付板
３７ａ  取付穴
３８  ランプハウス
３９  ネジ
４０  操作スイッチ
４１  スタートスイッチ
４２  ストップスイッチ
４３  メダル投入口
４４  メダル受け皿
５０  サブリールユニット
５１  サブリール
５２  モータ
５３  バックランプ
１０１  電源ユニット
１０２  メダル払出し装置
１０３  支持板
１０４  メイン制御基板
１０５  ケース
１０６  固定板
１０６ａ  ネジ穴
１０６ｂ  結合穴
１０８  サブ制御基板
１０９  リールケース本体
１０９ａ  開口面
１０９ｂ  取付穴
１１０  リールケースカバー
１１０ａ  取付穴
１１１  基板ケース本体
１１２  基板ケースカバー
１１３  ネジ
１１４  ネジ
【図１】
2004351016.tif 000003
【図２】
2004351016.tif 000004
【図３】
2004351016.tif 000005
【図４】
2004351016.tif 000006
【図５】
2004351016.tif 000007
【図６】
2004351016.tif 000008
【図７】
2004351016.tif 000009